(57)【要約】【課題】  携帯通信機器の小型軽量化の要請と相反することなく、ＦＭラジオ放送等の信号を送受信することができるアンテナを内蔵した携帯通信機器及び、このような携帯通信機器の提供を可能とするキャビネットを提供する。【解決手段】  携帯通信機器のキャビネットは、絶縁体部分の表面に複数の導電膜が分離してコーティングされており、導電膜の一つをアンテナとして使用し、このアンテナは、プリント基板がキャビネットに装着された状態で、プリント基板に設けられた接続部と接触してプリント基板上の回路に接続され、他の導電膜は、プリント基板に搭載された回路のシールドである。【選択図】  図３
2006217381.tif 000002
【特許請求の範囲】
【請求項１】
回路が搭載されたプリント基板の主表面が、キャビネットの絶縁体部分に対峙して装着される携帯通信機器のキャビネットであって、
前記絶縁体部分の表面に複数の導電膜が分離してコーティングされ、前記導電膜の一つは、前記プリント基板が前記キャビネットに装着された状態で、前記プリント基板の主表面に設けられた接続部と接触し、前記プリント基板上の回路に接続されることになるアンテナであり、他の導電膜は、前記プリント基板に搭載された所定の回路のシールドである
ことを特徴とする携帯通信機器のキャビネット。
【請求項２】
回路が搭載されたプリント基板と絶縁体部分を含むキャビネットとを有する携帯通信機器であって、
前記プリント基板の主表面が対峙する前記絶縁体部分の表面に、複数の導電膜が分離してコーティングされ、前記導電膜の一つは、前記プリント基板の主表面に設けられた接続部と接触して前記プリント基板上の回路に接続されるアンテナであり、他の導電膜は、前記プリント基板に搭載された所定の回路のシールドである
ことを特徴とする携帯通信機器。
【請求項３】
前記プリント基板は、その主表面に、導電金属で構成される内蔵アンテナを有し、
前記アンテナは、前記内蔵アンテナの導電金属と接触し、前記プリント基板上の回路に接続される
ことを特徴とする請求項２記載の携帯通信機器。
【請求項４】
前記アンテナは、ＦＭ放送受信用のアンテナであり、前記プリント基板上の増幅回路に接続されている
ことを特徴とする請求項３記載の携帯通信機器。
【発明の詳細な説明】
【技術分野】
【０００１】
本発明は、携帯電話機などの無線通信機器に関し、特に、アンテナの内蔵技術に関する。
【背景技術】
【０００２】
近年、携帯電話機等の携帯通信機器の多機能化が進んでいる。例えば、電話機としての機能のみを有していた携帯電話機は、静止画像や動画像を記録する機能やテレビ放送を受信する機能等が付加されるようになった。
このような付加機能として、ＦＭラジオ放送の受信機能がある。ＦＭラジオ付き携帯電話機は、例えば、ＦＭ放送の音声を聞くためのイヤホンのケーブル等をアンテナとして使用する（特許文献１参照）。この技術は、小型軽量化が望まれる携帯電話機の部品を必要最小限にして、ＦＭラジオ放送を受信する機能を実現している。
【特許文献１】特開平１０−２３３８２６号公報
【発明の開示】
【発明が解決しようとする課題】
【０００３】
しかし、最初からＦＭラジオ放送を聴くつもりでイヤホンを携帯していない限り、ＦＭラジオ放送受信機能を利用することできない。
すなわち、通常、携帯電話機のユーザは、イヤホンを携帯していないため、急に、ＦＭラジオ放送が聞きたくなった時や、災害発生等で緊急連絡等の放送を聴きたい場合に、イヤホンを持っていないがために、放送が聴けず、せっかく付いている機能が無駄になる場合がある。
【０００４】
従って、ＦＭラジオ放送を聴くために、携帯電話機のほかには何も必要としない携帯電話機、すなわち、アンテナが内蔵された携帯電話機が望まれる。
但し、ＦＭラジオが聞けるからといって、現状の携帯電話機の小型軽量化の要請に反するものであってはならない。
そこで、本発明は、携帯電話機等の携帯通信機器の小型軽量化の要請と相反することなく、ＦＭラジオ放送等の信号を送受信することができるアンテナを内蔵した携帯通信機器及び、このような携帯通信機器の提供を可能とするキャビネットの提供を目的とする。
【課題を解決するための手段】
【０００５】
上記課題を解決する為に、本発明の携帯通信機器のキャビネットは、回路が搭載されたプリント基板の主表面が、キャビネットの絶縁体部分に対峙して装着される携帯通信機器のキャビネットであって、前記絶縁体部分の表面に複数の導電膜が分離してコーティングされ、前記導電膜の一つは、前記プリント基板が前記キャビネットに装着された状態で、前記プリント基板の主表面に設けられた接続部と接触し、前記プリント基板上の回路に接続されることになるアンテナであり、他の導電膜は、前記プリント基板に搭載された所定の回路のシールドであることを特徴とする。
【発明の効果】
【０００６】
また、本発明の携帯通信機器は、回路が搭載されたプリント基板と絶縁体部分を含むキャビネットとを有する携帯通信機器であって、前記プリント基板の主表面が対峙する前記絶縁体部分の表面に、複数の導電膜が分離してコーティングされ、前記導電膜の一つは、前記プリント基板の主表面に設けられた接続部と接触して前記プリント基板上の回路に接続されるアンテナであり、他の導電膜は、前記プリント基板に搭載された所定の回路のシールドであることを特徴とする。
【０００７】
本発明に係る携帯通信機器のキャビネットは、上述の構成を備えることにより、通信機器の内部にアンテナ用の場所を確保する必要性を減少させるので、通信機器自体を大きくすることなしに、内蔵アンテナを作成することができるようになる。
さらに、シールドをコーティングすると同時にアンテナを作成することができ、部品点数及び作業工程を増やすことなくアンテナを内蔵できるので、製造時間の短縮、製造コストの削減などが可能となる。
【０００８】
また、前記プリント基板は、その主表面に、導電金属で構成される内蔵アンテナを有し、前記アンテナは、前記内蔵アンテナの導電金属と接触し、前記プリント基板上の回路に接続されることとしてもよい。
これにより、従来の内蔵アンテナと合わせて１つのアンテナとすることができるので、現在、特に活用されていない部分である、いわゆる空き部分をより有効に利用してアンテナを内蔵することができるようになる。
【０００９】
また、空き領域の形状に応じて、様々な形状のアンテナを作成することが可能となるので、様々な性能を有するアンテナを内蔵することができるようになる。
【発明を実施するための最良の形態】
【００１０】
＜概要＞
本発明は、ＦＭ放送用受信アンテナのような、一定の長さを必要とするようなアンテナを内蔵する場合に、プリント基板上に搭載されている回路などはそのままに、携帯電話機のキャビネットの空き部分に導電膜をコーティングして、アンテナとするものである。
本実施形態のキャビネットは、プラスチック等の非導電体の樹脂で作成された携帯電話機の外殻であり、その内側には、内部の基板上の回路等をシールドするために金属を含む皮膜がコーティングされている。本発明のアンテナは、このシールドをコーティングする際、同時にアンテナもコーティングすることにより作成する。
【００１１】
シールドをコーティングする際にアンテナも作成してしまうことから、部品点数及び作業工程が増えることなく、また、特別にアンテナ用の場所を必要とすることなく、アンテナを内蔵することが可能となる。
尚、携帯電話機のキャビネットは、外殻以外のシャーシなど、いわゆる筐体を構成する部品も含むものとする。
【００１２】
内蔵アンテナとして、本発明のようなコーティングして作成されたアンテナのみを使用するだけでなく、他のアンテナとつなげて使用することも可能である。
本実施形態においては、従来の内蔵アンテナ、すなわち、銅板をアンテナの形状に打ち抜いたプレートを樹脂でできた台に貼り付けで作成したもの（以下、「銅板アンテナ」という。）、と本発明のキャビネットにコーティングされたアンテナ（以下、「蒸着アンテナ」という。）とをつなげて１つのアンテナとし、必要な性能を出すこととしている。
【００１３】
以下、本発明に係るアンテナがコーティングされたキャビネットについて図１〜図４を用いて説明する。
＜構成＞
図１は、本発明に係るキャビネットを利用した携帯電話機の斜視図である。
図１（ａ）は、携帯電話機を閉じた場合の斜視図であり、図１（ｂ）は、携帯電話機を開いた場合の斜視図である。
【００１４】
図１に示すように、本携帯電話機１０は、いわゆるスライド式の携帯電話機である。携帯電話機１０は、２つの筐体で構成され、液晶画面１０１を含む筐体を第1筐体１００、テンキー２０１を含む筐体を第２筐体２００という。
本発明に係るキャビネットは、第２筐体２００を構成している。従って、以下、第２筐体２００について説明する。
【００１５】
図２は、第２筐体２００のキャビネット、基板等の斜視図である。
この図は、第２筐体２００を、テンキー２０１と反対の側から見た斜視図である。
この第２筐体２００は、第１キャビネット２１０、プリント基板２２０及び第２キャビネット２３０で構成される。
この第１キャビネット２１０及び第２キャビネット２３０は、非導電体である樹脂で作成されている。
【００１６】
第１キャビネット２１０は、本発明に係るキャビネットであり、バッテリーの収納部分２１１が設けられている。便宜上、バッテリー収納部分２１１の蓋は図示していない。この第１キャビネット２１０の詳細は、図３を用いて、後で説明する。
プリント基板２２０には、ＦＭラジオ放送用のアンプ回路２２５、ＣＯＤＥＣ（COmpression／DECompression）用の回路等が設置されている。
【００１７】
また、さらに、プリント基板２２０には、ＦＭラジオ放送用の内蔵アンテナである銅板アンテナ２２１が設置されている。
銅板アンテナ２２１は、銅板を所定形状に打ち抜いたアンテナプレート２２３を樹脂成形品２２２に貼り合わせたものである。銅板アンテナ２２１は、プリント基板２２０に接着剤等により固定されている。また、アンテナプレート２２３の端部には、蒸着アンテナ２１３との接続部２２４を備える。
【００１８】
この銅板アンテナ２２１は、影響を受けないように、他の部品等から一定の距離をおいて固定され、銅板アンテナ２２１が固定されているプリント基板２２０部分には、基板ＧＮＤ（GrouND）は入っていない。
この銅板アンテナ２２１は、プリント基板２２０上のアンプ回路２２４に接続されている。
【００１９】
次に、第２キャビネット２３０には、テンキー２０１の他、第１筐体１００との連結用の窓２０２が設けられている。
以下、図３を用いて、本発明に係る第１キャビネット２１０を説明する。
図３は、第１キャビネット２１０をプリント基板２２０側から見た斜視図である。
第１キャビネット２１０は、樹脂から成るキャビネット本体と、プリント基板２２０上の回路の遮蔽の役割を持つシールド２１２と、蒸着アンテナ２１３とで構成される。
【００２０】
シールド２１２は、キャビネット本体部分のバッテリーの収納部分２１１のプリント基板２００側にコーティングされている。このシールド２１２は、金属を含む薄膜であり、蒸着により第１キャビネット２１０の表面に作成される。このシールドには、例えば、ニッケルが使用される。
また、蒸着アンテナ２１３は、シールド２１２と同じ面にコーティングされ、シールド２１２と同じ素材で、シールド２１２が蒸着される際に同時に蒸着される。蒸着アンテナ２１３の端部には、銅板アンテナ２２１との接続部２１４を備える。
【００２１】
この蒸着アンテナ２１３とシールド２１２は、絶縁用に一定の距離を置いている。この距離は、アンテナが送受信しようとする信号や、蒸着する薄膜の素材に応じて最適な距離とする。
図４は、第２筐体２００が組み立てられた状態（図１参照）での、銅板アンテナ２２１と蒸着アンテナ２１３との位置関係を示す図である。
【００２２】
図４（ａ）は、接続される前の、銅板アンテナ２２１と蒸着アンテナ２１３とを示す図であり、図４（ｂ）は、接続されている状態の、銅板アンテナ２２１と蒸着アンテナ２１３とを示す図である。
第２筐体２００は、前述のように、第１キャビネット２１０、プリント基板２２０及び第２キャビネット２３０で構成されている（図２参照）。
【００２３】
これらが組み立てられ、ボルトで止められると、銅板アンテナ２２１の接続部２２４と、蒸着アンテナ２１３の接続部２１４とが重ねられてボルトで固定され、２つのアンテナが接続された状態となる。
このように、銅板アンテナ２２１と蒸着アンテナ２１３が接続されて、必要な長さを持った１つのアンテナとなる。
【００２４】
＜補足＞
以上、本発明に係るキャビネットについて実施形態に基づいて説明したが、本発明は上述の実施形態に限られないことは勿論である。即ち、
（１）実施形態では、蒸着アンテナ２１３とシールド２１２とは、同じ素材で作成されるとしている（図３参照）が、異なる素材で作成されていてもよい。また、蒸着アンテナ２１３とシールド２１２とは、同時に蒸着されて作成されるとしているが、別々に作成されてもよい。
【００２５】
この場合は、作業工程が増えることになるが、送受信しようとする信号のアンテナとして、より適した抵抗値等をもつ素材を使用できるという利点がある。
（２）実施形態では、シールド２１２と蒸着アンテナ２１３とは、樹脂から成るキャビネットの表面に蒸着によって作成することとしているが、蒸着以外の、塗装、鍍金などの手法によって作成してもよい。
（３）実施形態では、アンテナプレート２２３及び蒸着アンテナ２１３の、それぞれの端部に接続部（２１４、２２４）を作成しているが、端部に限られない。
【産業上の利用可能性】
【００２６】
本発明に係るアンテナは、小型軽量化が進む通信機器において、一定の長さを持たなければならないアンテナを内蔵する場合に有用であり、通信機器の小型化及び作成工程の簡素化に寄与する点で特に有用である。
【図面の簡単な説明】
【００２７】
【図１】図１は、本発明に係るキャビネットを利用した携帯電話機の斜視図である。  図１（ａ）は、携帯電話機を閉じた場合の斜視図であり、図１（ｂ）は、携帯電話機を開いた場合の斜視図である。
【図２】図２は、第２筐体２００のキャビネット、基板等の斜視図である。
【図３】図３は、第１キャビネット２１０をプリント基板２２０側から見た斜視図である。
【図４】図４は、第２筐体２００が組み立てられた状態（図１参照）での、銅板アンテナ２２１と蒸着アンテナ２１３との位置関係を示す図である。
【００２８】
図４（ａ）は、接続される前の、銅板アンテナ２２１と蒸着アンテナ２１３とを示す図であり、図４（ｂ）は、接続されている状態の、銅板アンテナ２２１と蒸着アンテナ２１３とを示す図である。
【符号の説明】
【００２９】
１０  携帯電話機
１００  第１筐体
１０１  液晶画面
２００  第２筐体
２０１  テンキー
２０２  連結用の窓
２１０  第１キャビネット
２１１  バッテリー格納部
２１２  シールド
２１３  蒸着アンテナ
２１４、２２４  接続部
２２０  プリント基板
２２１  銅板アンテナ
２２２  樹脂成形品
２２３  アンテナプレート
【図１】
2006217381.tif 000003
【図２】
2006217381.tif 000004
【図３】
2006217381.tif 000005
【図４】
2006217381.tif 000006